【事件の表示】
　特願２０００−１５０２４号「室内ユニットおよび空気調和装置」拒絶査定不服審判事件〔平成１３年７月２７日出願公開、特開２００１−２０１１７０号〕について、次のとおり審決する。
【結　論】
　本件審判の請求は、成り立たない。
【理　由】
第１．手続の経緯
　本件に係る出願（以下「本願」という。）は、平成１２年１月２４日の出願であって、平成２２年３月１６日付けで拒絶査定がなされ（発送日：同年３月２３日）、これに対し、同年６月１１日に拒絶査定不服審判の請求がなされ、請求と同時に手続補正がなされたものである。　
　
第２．平成２２年６月１１日付け手続補正についての補正却下の決定
［補正却下の決定の結論］  
　平成２２年６月１１日付け手続補正（以下「本件補正」という。）を却下する。
　
［理由］
１．本件補正発明
　本件補正は、本件補正前の特許請求の範囲の請求項２について、「室内の空気を筐体内に吸い込んで再び室内に吹き出す略円筒形状の室内ファンと、該室内ファンの周囲に配置される複数の室内熱交換器とを備える室内ユニットであって、前記複数の室内熱交換器はいずれも、前記室内ファンの軸方向に離間する端板間に複数の冷却フィンを積層配置したもので、各室内熱交換器は、同じ側に位置する端板どうしが、一方の端板に設けられた軸部と他方の端板に設けられて該軸部に回動自在に組み合わされた軸受け部とからなる連結部により前記軸部が加締められて連結されていることを特徴とする室内ユニット。」とあったものを、本件補正後の特許請求の範囲の請求項１として、「室内の空気を筐体内に吸い込んで再び室内に吹き出す略円筒形状の室内ファンと、該室内ファンの周囲に配置される複数の室内熱交換器とを備える室内ユニットであって、前記複数の室内熱交換器はいずれも、前記室内ファンの軸方向に離間する端板間に複数の冷却フィンを積層配置したもので、各室内熱交換器は、同じ側に位置する端板どうしが、一方の端板に設けられた
管状の
、
の外周面
前記軸受け部に
　上記補正について検討する。
　本件補正後の特許請求の範囲の請求項１に記載された発明は、本件補正前の請求項２の特許請求の範囲の軸部について「軸部」とあったものを「
管状の
の外周面
軸受け部に
　そこで、本件補正後の特許請求の範囲の請求項１に記載された発明（以下「本件補正発明」という。）が特許出願の際独立して特許を受けることができるものであるか（改正前特許法第１７条の２第５項において準用する同法第１２６条第５項の規定に適合するか）否かについて検討する。 
　
２．刊行物に記載された発明
　原査定の拒絶理由において提示された、本願の出願前に頒布された刊行物である実願平５−６８１４１号（実開平７−４１３２４号）のＣＤ−ＲＯＭ（以下「刊行物」という。）には、図面と共に次の事項が記載されている。
a)「【請求項１】  筐体上面の吸込口と前面下部の吹出口とを結ぶ空気通路に、下端より所定の位置の後端側に略半分の巾の切抜き部を形成する一方、上端より所定の位置の後端側に略半分の巾の切欠き部を形成したフィンを、同フィンの切抜き部と同位置にフランジ部を残して切り欠いた下部側板と、前記フィンの切欠き部下方の後部最上段のパイプに前記下部側板と共に挿入する孔を形成した上部側板とを連結した側板に挟んで一体的に形成し、前記切抜き部及び切欠き部と前端側をカットし、下部を直立部、中央部を後方に折り曲げて後方傾斜部とし、その上部を前記パイプを軸として背面側に逆Ｖ字形に折り曲げて前方傾斜部とした熱交換器を配置してなることを特徴とする空気調和機の室内ユニット。
【請求項２】前記直立部と後方傾斜部となる前記フィンを挟む下部側板に後部最上段のパイプを挿入する突き出し絞り孔を形成し、同突き出し絞り孔の外周に前記上部側板の後部最下段の孔を嵌合した後、前記パイプを挿入、拡管して前記下部側板と上部側板を連結し、前記パイプを軸として上部を背面側に逆Ｖ字形に折り曲げて前方傾斜部としてなることを特徴とする請求項１記載の空気調和機の室内ユニット。」（【実用新案登録請求の範囲】）
b)「【産業上の利用分野】
　本発明は
空気調和機の室内ユニット
　【従来の技術】
　空気調和機の室内ユニットは、図４に示すように、筐体１上面の吸込口２と前面下部の吹出口３とを結ぶ空気通路４の前面側に、直立部５ａと後方傾斜部５ｂ及び背面側に逆Ｖ字形に折前方傾斜部５ｃからなる一体に形成した三つの熱交換器５を配置している。図５に示すように、フィン６の後方二個所の所定の位置に略半分の巾の切抜き部７を形成し、同様に二個所の同位置でフランジ８を残して切欠き部９を形成した
左右の側板１０に、フィン６を挟んでパイプ
を挿入、拡管して熱交換器５を一体に形成する
c)「【考案が解決しようとする課題】
　上記のような問題点を解決するために、本考案は遮風板８や別なピッチのＵ字管を必要とせず効率のよい三つのブロックからなる熱交換器を備えた空気調和機の室内ユニットを提供することを目的とする。」（段落【0003】）d)「【実施例】
　以下、本考案の一実施例を図１〜図３に基づき説明する。図２（Ａ）に示すように、フィン６の下端より所定の高さに後方略半分の巾の切抜き部７を形成し、上端より所定の高さに後方略半分の巾の切欠き部７ａを形成する。図２（Ｂ）に示すように、切抜き部７と同位置にフランジ８を残して切欠き部９を形成し、フィン６の下端から切欠き部７ａまでの長さの下部側板１０とフィン６の切欠き部７ａから上端までの長さを有し、切欠き部７ａ下方の後部最上段のパイプを下部側板１０と共に挿入する孔１３を穿設した上部側板１０ｃを形成する。共通する孔１３を重ね合わせた下部側板１０と上部側板１０ｃに積層したフィン６を挟んで複数のパイプ（図示していない）を挿入し、拡管して熱交換器５を一体に形成する。図１に示すように、切抜き部７と切欠き部７ａの位置で横方向にフィン６をカットして
下部を直立部５ａ、中央部を後方に折り曲げて後方傾斜部５ｂとし、その上部を背面側に逆Ｖ字形に折り曲げて前方傾斜部５ｃとした三つのブロックを有する熱交換器５を形成し
筐体１上面の吸込口２と前面下部の吹出口３とを結ぶ空気通路４の前面側に前記熱交換器５を配置している
　図３に示すように、
後方傾斜部５ｂと前方傾斜部５ｃとなるフィン６を挟む下部側板１０に後部最上段のパイプを挿入する突き出し絞り孔１３ａを形成し、突き出し絞り孔１３ａの外周に上部側板１０ｃの後部最下段に穿設した孔１３を嵌合した後、パイプを挿入、拡管して下部側板１０と上部側板１０ｃを連結する
e)「【考案の効果】
　以上のように本考案によれば、熱交換器の後方傾斜部と前方傾斜部の間フィンに切欠き部を、フィンの前半分をカットして逆Ｖ字形に折り曲げたとき双方のフィンの端部が相接するような形状に形成し、下部側板の孔を突き出し絞り孔の外周と上部側板に穿設した孔を嵌合して重ね合わせて連接する。以上により前方傾斜部を前記パイプを軸にして容易に折り曲げられ、鋭角に折り曲げたフィンの半分に隙間がなくなり、効率の良い熱交換を行うことができる。また、二つの熱交換器のパイプを繋ぐＵ字管のピッチがパイプを軸として折り曲げることにより段方向のピッチと同じになり共通のＵ字管を使用できる。」（段落【0007】）
f)上記dの記載事項及び【図4】の図示内容によると、
空気通路4内に断面円形状の室内送風機を配設した
略円筒形状の室内送風機
　
　上記a〜eの記載事項、及び、図面の図示内容を総合勘案すると、刊行物には、次の発明が記載されていると認められる。
「空気通路4内に配設された略円筒形状の室内送風機と、筐体１上面の吸込口２と前面下部の吹出口３とを結ぶ空気通路４の前面側に配置される、下部を直立部５ａ、中央部を後方に折り曲げて後方傾斜部５ｂとし、その上部を背面側に逆Ｖ字形に折り曲げて前方傾斜部５ｃとした三つのブロックを有する熱交換器５とを備える空気調和機の室内ユニットであって、
　熱交換器５は、左右の側板１０に、フィン６を挟んでパイプを挿入、拡管して一体に形成し、
　熱交換器５は、後方傾斜部５ｂと前方傾斜部５ｃとなるフィン６を挟む左右の下部側板１０に後部最上段のパイプを挿入する突き出し絞り孔１３ａを形成し、突き出し絞り孔１３ａの外周にそれぞれ左右の上部側板１０ｃの後部最下段に穿設した孔１３を嵌合した後、パイプを挿入、拡管して左右の下部側板１０とそれぞれ左右の上部側板１０ｃを連結する空気調和機の室内ユニット。」
　
３．対比及び当審における判断
　本件補正発明と刊行物に記載された発明とを対比する。
　刊行物に記載された発明の「空気通路4内に配設された略円筒形状の室内送風機」は、室内の空気を吸込口２から吸い込み、吹き出し口３から吹き出すものであるから、本件補正発明の「室内の空気を筐体内に吸い込んで再び室内に吹き出す略円筒形状の室内ファン」に相当し、以下同様に、
　「筐体１上面の吸込口２と前面下部の吹出口３とを結ぶ空気通路４の前面側に配置される、下部を直立部５ａ、中央部を後方に折り曲げて後方傾斜部５ｂとし、その上部を背面側に逆Ｖ字形に折り曲げて前方傾斜部５ｃとした三つのブロックを有する熱交換器５」は、室内送風機の周囲に配置されるものであることは明らかであるから、「室内ファンの周囲に配置される複数の室内熱交換器」に、
　「空気調和機の室内ユニット」は「室内ユニット」に、
　「熱交換器５は、左右の側板１０に、フィン６を挟んでパイプを挿入、拡管して一体に形成」されることは「複数の室内熱交換器はいずれも、室内ファンの軸方向に離間する端板間に複数の冷却フィンを積層配置した」ことに、
　「後方傾斜部５ｂと前方傾斜部５ｃとなるフィン６を挟む左右の下部側板１０に後部最上段のパイプを挿入する突き出し絞り孔１３ａを形成し、突き出し絞り孔１３ａの外周にそれぞれ左右の上部側板１０ｃの後部最下段に穿設した孔１３を嵌合した後、パイプを挿入、拡管して左右の下部側板１０とそれぞれ左右の上部側板１０ｃを連結する」ことは、突き出し絞り孔１３ａの外周を軸として機能させ、穿設した孔１３を突き出し絞り孔１３ａの外周を嵌合する軸受けとして機能させて、軸としての突き出し絞り孔１３ａと軸受けとしての穿設した孔１３とにより連結部を構成し、突き出し絞り孔１３ａと穿設した孔１３とを、パイプの挿入、拡管により加締めて、下部側板１０、すなわち、突き出し絞り孔１３ａと上部側板１０ｃ、すなわち、穿設した孔１３とを連結するものであるから、「室内熱交換器は、同じ側に位置する端板どうしが、一方の端板に設けられた管状の軸部と、他方の端板に設けられて該軸部の外周面に回動自在に組み合わされた軸受け部とからなる連結部により軸部が軸受け部に加締められて連結されている」ことに、
　それぞれ相当する。
　したがって、両者は、「室内の空気を筐体内に吸い込んで再び室内に吹き出す略円筒形状の室内ファンと、該室内ファンの周囲に配置される複数の室内熱交換器とを備える室内ユニットであって、
　前記複数の室内熱交換器はいずれも、前記室内ファンの軸方向に離間する端板間に複数の冷却フィンを積層配置したもので、
　各室内熱交換器は、同じ側に位置する端板どうしが、一方の端板に設けられた管状の軸部と、他方の端板に設けられて該軸部の外周面に回動自在に組み合わされた軸受け部とからなる連結部により前記軸部が前記軸受け部に加締められて連結されている室内ユニット。」である点で一致し、相違しない。
　ゆえに、本件補正発明は、刊行物に記載された発明であるから、特許法第２９条第１項第３号に該当し、特許出願の際独立して特許を受けることができないものである。
　
５．まとめ
　よって、本件補正は、改正前特許法第１７条の２第５項において準用する同法第１２６条第５項の規定に違反するので、同法第１５９条第１項において読み替えて準用する同法第５３条第１項の規定により却下すべきものである。
 　  
第３．本願発明について
１．本願発明
　平成２２年６月１１日付け手続補正は上記のとおり却下されたので、本願の請求項１に係る発明（以下「本願発明」という。）は、平成２１年１２月２８日付け手続補正書の特許請求の範囲の請求項２に記載された事項によ
り特定される次のとおりのものである。
「室内の空気を筐体内に吸い込んで再び室内に吹き出す略円筒形状の室内ファンと、該室内ファンの周囲に配置される複数の室内熱交換器とを備える室内ユニットであって、
　前記複数の室内熱交換器はいずれも、前記室内ファンの軸方向に離間する端板間に複数の冷却フィンを積層配置したもので、
　各室内熱交換器は、同じ側に位置する端板どうしが、一方の端板に設けられた軸部と他方の端板に設けられて該軸部に回動自在に組み合わされた軸受け部とからなる連結部により前記軸部が加締められて連結されていることを特徴とする室内ユニット。」
　
２．刊行物に記載された発明
　原査定の拒絶の理由に引用した刊行物、刊行物の記載事項及び刊行物に記載された発明は、前記「第２．［理由］２．刊行物に記載された発明」に記載したとおりである。
　
３．対比および当審における判断
　本願発明は、前記「第２．［理由］」において検討した本件補正発明において、軸部について「
管状の
の外周面
軸受け部に
　そうすると、実質的に本願発明の発明特定事項をすべて含み、さらに、他の発明特定事項を付加したものに相当する本件補正発明が、前記「第２．［理由］３．対比及び当審における判断に記載したとおり、刊行物に記載された発明であるから、本願発明も同様に、刊行物に記載された発明である。
　
４．むすび  
　以上のとおりであるから、本願発明は、刊行物に記載された発明であり、特許法第２９条第１項第３号に該当し、特許を受けることができない。  
　したがって、本願のその他の請求項に係る発明について検討するまでもなく、本願は拒絶すべきものである。
　
　よって、結論のとおり審決する。